(57)【特許請求の範囲】
【請求項１】
建物の開口部に設けられ、段差状に構成された室外側見込面及び室内側見込面と、前記室外側見込面及び前記室内側見込面の段差を繋ぐ縦壁部を構成する戸当たり面とを備えたドア枠と、
前記ドア枠に開閉可能に取り付けられるドアと、
自然状態で断面Ｄ字形に構成され、前記ドアを閉じた状態で前記ドアと前記ドア枠との間に介在し、気密性を高める気密材と、
前記気密材と一体的に構成され、虫の忌避剤を含有し、前記ドアを閉じた状態において前記ドアと前記ドア枠との間の隙間に露出する忌避部と、
を有し、
前記気密材は、前記忌避部が前記室外側見込面側に位置し、忌避剤を含有しない一般部が前記室内側見込面側に位置するように、前記ドア枠の戸当たり面に取り付けられ、
前記ドアを閉じた状態において、前記一般部が前記ドアのうち前記戸当たり面と対向する面に当接し押圧変形されると共に、前記忌避部が前記室外側見込面に面接触状態に押圧変形されるドア構造。
【発明の詳細な説明】
【技術分野】
【０００１】
本発明は、ドア構造に関する。
【背景技術】
【０００２】
ドアとドア枠との間に気密材を配置して気密性を確保したドア構造が開示されている（特許文献１参照）。
【先行技術文献】
【特許文献】
【０００３】
【特許文献１】特開２００４−１２４７０６号公報
【発明の概要】
【発明が解決しようとする課題】
【０００４】
一般に、ドアを閉じた状態において、ドアとドア枠との間には隙間が存在する。この隙間に、暗くて狭い場所を好む虫が入り込むことがあり、更にはこの隙間が虫だまりになっていることがある。隙間に虫がいたとしても、ドアを閉じた状態においては、気密材により虫の建物内への侵入が物理的に阻止されるが、ドアを開いた瞬間に、この虫が建物内に侵入可能となる。
【０００５】
一方、気密材に虫の忌避剤を含ませることが考えられるが、忌避剤を気密材全体に含有させると、多くの忌避剤が必要となるためコストの増加が多くなる。
【０００６】
本発明は、上記事実を考慮して、コスト増を抑制しつつ、ドアとドア枠の間の隙間に虫が寄り付かないようにして、ドアを開いたときにおける建物内への虫の侵入を抑制することを目的とする。
【課題を解決するための手段】
【０００７】
第１の態様に係るドア構造は、建物の開口部に設けられるドア枠と、前記ドア枠に開閉可能に取り付けられるドアと、前記ドアを閉じた状態で前記ドアと前記ドア枠との間に介在し、気密性を高める気密材と、前記気密材と一体的に構成され、虫の忌避剤を含有し、前記ドアを閉じた状態において前記ドアと前記ドア枠との間の隙間に露出する忌避部と、を有する。
【０００８】
このドア構造では、ドアを閉じた状態において、気密材により、建物外の虫が建物内に侵入することが物理的に抑制される。また、気密材と一体的に構成された忌避部が、ドアとドア枠との間の隙間に露出するので、該隙間に虫が寄り付くことが抑制される。該隙間が虫だまりとならないので、ドアを開いた瞬間に建物内へ虫が侵入し難くなる。また、虫の忌避剤を有する他部材の追加や、そのための設計変更等が不要となる。
【０００９】
第２の態様は、第１の態様に係るドア構造において、前記気密材が、前記忌避剤を含有せず前記ドア枠に弾性的に嵌め込まれる一般部を有し、前記忌避部は、断面円弧状に構成され、両端が前記一般部に結合されて閉断面となっている。
【００１０】
第３の態様は、第１の態様に係るドア構造において、前記気密材が、前記忌避剤を含有せず前記ドア枠に弾性的に嵌め込まれる一般部を有し、前記忌避部は、断面円弧状に構成され、一端が前記一般部に結合されて片持ち状とされている。
【００１１】
第４の態様は、第３の態様に係るドア構造において、前記忌避部の他端が、前記一般部の側方まで延びている。
【００１２】
第５の態様は、第１の態様に係るドア構造において、前記気密材が、前記忌避剤を含有せず前記ドア枠に弾性的に嵌め込まれる一般部を有し、前記忌避部は、断面直線状に構成され、一端が前記一般部に結合されて片持ち状とされ、他端側が前記一般部から遠のく方向に、前記一般部の幅方向に対して傾斜しており、前記忌避部と前記一般部との間には、前記ドアと前記忌避部との当接時に弾性変形するばね部が設けられている。
【００１３】
第６の態様は、第１の態様に係るドア構造において、前記気密材は、前記忌避剤を含有せず前記ドア枠に弾性的に嵌め込まれる一般部を有し、前記忌避部は、断面直線状に構成され、弾性変形可能な支持部を介して一端が前記一般部に結合されて片持ち状とされ、他端側が前記一般部から遠のく方向に、前記一般部の幅方向に対して傾斜している。
【発明の効果】
【００１４】
本発明に係るドア構造によれば、コスト増を抑制しつつ、ドアとドア枠の間の隙間に虫が寄り付かないようにして、ドアを開いたときにおける建物内への虫の侵入を抑制できる、という優れた効果が得られる。
【図面の簡単な説明】
【００１５】
【図１】第１実施形態に係るドア構造を示す正面図である。
【図２】第１実施形態に係るドア構造を示す、図１における２−２矢視拡大断面図である。
【図３】第１実施形態に係るドア構造を示す、図１における３−３矢視拡大断面図である。
【図４】第１実施形態に係るドア構造を示す要部拡大斜視図である。
【図５】（Ａ）は、自然状態の気密材を示す拡大斜視図である。（Ｂ）は、ドアを閉じたときの気密材の状態を示す拡大斜視図である。
【図６】（Ａ）〜（Ｃ）は、気密材の他の例を示す断面図である。
【図７】（Ａ）〜（Ｃ）は、気密材の他の例を示す拡大断面図である。
【図８】（Ａ）〜（Ｃ）は、気密材の他の例を示す拡大断面図である。
【図９】（Ａ）は、図６（Ａ）の気密材を有するドア構造を示す拡大断面図である。（Ｂ）は、図８（Ａ）の気密材を有するドア構造を示す拡大断面図である。
【図１０】（Ａ）は、図８（Ｂ）の気密材を有するドア構造を示す拡大断面図である。（Ｂ）は、図８（Ｃ）の気密材を有するドア構造を示す拡大断面図である。
【図１１】引戸に対応した気密材を示す拡大断面図である。
【図１２】本実施形態に係るドア構造を折戸に適用した例を示す断面図である。
【発明を実施するための形態】
【００１６】
以下、本発明を実施するための形態を図面に基づき説明する。
【００１７】
［第１実施形態］
図１から図４において、本実施形態に係るドア構造１０は、ドア枠１２と、ドア１４と、忌避部の一例たる気密材１６とを有している。
【００１８】
ドア枠１２は、建物１８の開口部２２に設けられる部材であり、正面視で四角形に構成されている。図２、図３に示されるように、ドア枠１２は、室内側見込面１２Ａと、室外側見込面１２Ｂと、戸当たり面１２Ｃとを有している。室内側見込面１２Ａと室外側見込面１２Ｂとは、段差状となっており、室内側見込面１２Ａが室外側見込面１２Ｂよりもドア枠１２の中心側に位置している。戸当たり面１２Ｃは、この段差を繋ぐ縦壁部を構成している。
【００１９】
ドア１４は、ドア枠１２に開閉可能に取り付けられる開閉体であり、ドア枠１２に例えばヒンジ２４を介して開閉自在に取り付けられている。ドア１４を閉じた状態において、該ドア１４の外周端１４Ａは、ドア枠１２における室内側見込面１２Ａよりも外側で、かつ室外側見込面１２Ｂよりも内側に位置している。これにより、ドア１４の開閉時におけるドア１４と室外側見込面１２Ｂとの干渉が抑制されるようになっている。また、ドア１４を閉じた状態において、ドア１４の外周端１４Ａと室外側見込面１２Ｂとの間に、隙間Ｓが形成されるようになっている。
【００２０】
図４、図５（Ｂ）において、気密材１６は、ドア１４を閉じた状態でドア１４とドア枠１２との間に介在し、気密性を高める部材である。この気密材１６は、ドア枠１２の戸当たり面１２Ｃに、例えば接着により取り付けられ、該ドア枠１２の全周にわたって取り付けられている。ドア１４は、矢印Ｏ方向に開き、矢印Ｃ方向に閉じるようになっており、閉じた状態で気密材１６に密着するようになっている。
【００２１】
図４、図５（Ａ）に示されるように、気密材１６は、忌避部２８と、忌避部を含有しない一般部３０とが、例えば２色成形により一体的に構成され、自然状態で例えば断面Ｄ字形に構成されている。忌避部２８は、虫の忌避剤を含有しており、ドア１４を閉じた状態において、ドア１４とドア枠１２との間の隙間Ｓに露出する部位であり、図面においてドット状のハッチングで示されている。
【００２２】
図５（Ａ）のように、気密材１６は、例えば該気密材１６の幅方向一方側の半分が忌避部２８とされ、幅方向他方側の半分が一般部３０とされている。つまり、忌避部２８と一般部３０は、線対称に配置されている。図５（Ｂ）に示されるように、ドア１４を閉じたときに該ドア１４の下側の外周端１４Ａが気密材１６の幅方向の中央部に当接するとした場合、一般部３０が室内側に位置し、忌避部２８が隙間Ｓに位置する状態となる。なお、一般部３０の一部が隙間Ｓに露出してもよい。
【００２３】
忌避部２８に含まれる忌避剤としては、従来から汎用される飛翔性害虫、ゴキブリ、及び衣料害虫等の害虫に対して有効なピレスロイド系化合物等の防虫剤が好適である。
【００２４】
忌避部２８は、忌避剤を含有させるのに適した弾性体である、例えばエラストマーで形成されている。エラストマーとしては、ブタジエン／スチレン共重合体、イソプレン／スチレン共重合体、ポリ塩化ビニル、ブタジエンゴム、イソプレンゴム、エチレン／プロピレン共重合体、ポリウレタン等から選ばれる熱可塑性エラストマー、それらの水素添加物、その他変性物を使用することができる。
【００２５】
エラストマー１００質量部に対する忌避剤の含有量は、１質量部〜２０質量部の範囲であることが好ましい。
【００２６】
忌避剤の含有量が上記範囲であることで、害虫の忌避効果が十分に得られ、かつ、エラストマーの結合性に忌避剤が影響を与える懸念がなく、気密材の耐久性が良好となるため、好ましい。
【００２７】
一般部３０には、従来から一般に使用される材質、例えばＥＰＤＭ、シリコンゴム、クロロプレンゴム等を使用することができる。
【００２８】
（作用）
本実施形態は、上記のように構成されており、以下その作用について説明する。図２から図４に示されるように、本実施形態に係るドア構造１０では、ドア１４を閉じた状態において、気密材１６により、建物１８外の虫（図示せず）が建物１８内（室内側）に侵入することが物理的に抑制される。また、ドア１４とドア枠１２との間の隙間Ｓに、忌避剤を含有する忌避部２８が露出しているので、該隙間Ｓに虫が寄り付くことが抑制される。該隙間Ｓが虫だまりとならないので、ドア１４を開いた瞬間に建物１８内へ虫が侵入し難くなる。つまり、気密材１６は、忌避部２８で防虫性能を確保することができる。
【００２９】
このように、本実施形態によれば、ドア１４とドア枠１２の間の隙間Ｓに虫が寄り付かないようにして、ドア１４を開いたときにおける建物１８内への虫の侵入を抑制することができる。気密材１６において、一般部３０と忌避部２８とが一体的に構成されているので、忌避剤を有する部材の追加や、そのための設計変更等が不要となる。また、気密材１６の全体を忌避部２８とする場合と比較して、忌避剤の量を少なくして、コストを低減できる。
【００３０】
なお、忌避部２８の交換時期を示すインジケータ（図示せず）を設けてもよい。忌避剤の効果が少なくなった場合には、忌避部２８を一体的に備える気密材１６を交換することで、再び防虫性能を回復させることができる。
【００３１】
（気密材の他の例）
気密材１６の形状は上記のものに限られず、図６から図８に示されるように、種々の形状とすることができる。図６（Ａ）に示される気密材１６は、図９（Ａ）に示されるように、ドア枠１２に設けられた凹部１２Ｄに弾性的に嵌め込まれる構造となっている。気密材１６のうち、凹部１２Ｄに嵌め込まれるのは一般部３０であり、忌避部２８は凹部１２Ｄの外側に張り出している。一般部３０の側部には、凹部１２Ｄへの嵌込み時に変形して嵌合力を生じさせる突起状の嵌合部３２が複数張り出している。なお、一般部３０には、凹部１２Ｄが浅い場合に取外し可能な調節部３１が設けられている。この構造は、図６（Ｂ），（Ｃ）、図７（Ａ），（Ｂ）に示される気密材１６についても同様である。
【００３２】
図６（Ａ）に示される気密材１６では、忌避部２８が断面円弧状に構成され、両端が一般部３０に結合されて閉断面となっている。忌避部２８の外面は平滑に構成される一方、忌避部２８の内面には、周方向において波形の凹凸部３４が構成されている。これにより、忌避部２８の厚さは、周期的に増減変化している。
【００３３】
図６（Ｂ）に示される気密材１６では、忌避部２８が断面円弧状に構成され、一端が一般部３０に結合されて片持ち状とされている。図６（Ｃ）に示される気密材１６では、忌避部２８が同様に片持ち状とされているが、該忌避部２８について、図６（Ｂ）に示される例よりも曲率半径及び長さが大きく構成され、忌避部２８の他端が一般部３０の側方まで延びている。
【００３４】
図７（Ａ）に示される気密材１６では、忌避部２８が断面直線状に構成され、一端が一般部３０に結合されて片持ち状とされている。この忌避部２８は、他端側が該一般部３０から遠のく方向に、一般部３０の幅方向に対して傾斜している。また、忌避部２８と一般部３０との間には、ドア１４（図４参照）と忌避部２８との当接時に弾性変形するばね部３６が設けられている。ドア１４を開いたときに、ばね部３６の復元力により、忌避部２８が図示される自然状態に復帰するようになっている。
【００３５】
図７（Ｂ）に示される気密材１６では、忌避部２８が断面直線状に構成され、弾性変形可能な支持部３８を介して一般部３０に結合されて片持ち状とされている。この忌避部２８も、他端側が該一般部３０から遠のく方向に、一般部３０の幅方向に対して傾斜している。
【００３６】
図７（Ｃ）に示される気密材１６では、一般部３０が突起状の嵌込み部４０を有している。図示は省略するが、嵌込み部４０は、気密材１６の長手方向に沿って、所定間隔で複数設けられている。図９（Ｂ）に示されるように、嵌込み部４０は、例えばドア枠１２の戸当たり面１２Ｃに形成された貫通孔４２に嵌入されて係合する部位である。図８（Ａ），（Ｂ）に示される気密材１６も、同様に、嵌込み部４０を有している。
【００３７】
図７（Ｃ）に示される気密材１６は、嵌込み部４０以外の部分が中空状の矩形に構成され、嵌込み部４０側と反対側の半分が忌避部２８とされている。図８（Ａ）に示される気密材１６では、嵌込み部４０以外の部分が中空状の略三角形に構成され、嵌込み部４０側と反対側が忌避部２８とされている。図７（Ｃ）、図８（Ａ）に示される気密材１６は、嵌込み部４０を有しているため、既存のドア枠１２にも容易に取り付けることができる。
【００３８】
図８（Ｂ）に示される気密材１６は、嵌込み部４０以外の部分が断面Ｌ字形に構成され、嵌込み部４０側と反対側に延びるフィン状の部分が忌避部２８とされている。この気密材１６は、図１０に示されるように、ドア１４の下部に取り付けられるようになっている。この際、嵌込み部４０は、例えばドア１４のフレーム４４に設けられた貫通孔４２に嵌入される。ドア１４を閉じた状態において、忌避部２８の先端部が弾性変形しつつ、ドア枠１２の室外側見込面１２Ｂに接触するようになっている。
【００３９】
図８（Ｃ）に示される気密材１６は、断面渦巻き状に構成され、外側領域が忌避部２８とされ、内側領域が一般部３０とされている。この気密材１６は、図１０（Ｂ）に示されるように、ドア枠１２の凹部１２Ｄに弾性的に嵌め込まれる構造となっている。この気密材１６は外形寸法が定まっていないため、様々な大きさの凹部１２Ｄに対応可能である。忌避部２８と一般部３０との境界位置は任意に設定可能であるが、図１０（Ｂ）において、ドア１４とドア枠１２との間の隙間Ｓに露出する部位を忌避部２８とし、それ以外の部位を一般部３０とすることが望ましい。
【００４０】
図１１に示される気密材１６は、レール（図示せず）に沿って開閉可能とされる引戸（図示せず）に対応するものである。この気密材１６の全体形状は、図６（Ａ）に示される気密材１６と同様であるが、断面円弧状の部位がすべて忌避部２８とされるのではなく、レールに対して摺動する部位が低摩擦部４６とされている。つまり、この気密材１６は、一般部３０、忌避部２８及び低摩擦部を、多色成形（三色成形）したものとなっている。
【００４１】
図１２は、図６（Ａ）に示される気密材１６を、折戸５０に適用した例を示すものである。気密材１６の一般部３０は、互いに隣接するドア４８に設けられた凹部５２に嵌め込まれている。折戸５０を閉じた状態において、気密材１６の忌避部２８は、ドア４９の角部に当接して、ドア４８，４９間の隙間Ｓに露出するようになっている。これにより、折戸５０においても、隙間Ｓに虫が寄り付くことが抑制され、該隙間Ｓが虫だまりとならないので、折戸５０を開いた瞬間に、該折戸５０の外側から内側へ虫が侵入し難くなる。
【００４２】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４３】
第１実施形態において、種々の気密材１６の形状を挙げたが、気密材１６の断面形状はそれらに限られず、適宜変更することが可能である。
【符号の説明】
【００４４】
１０    ドア構造
１２    ドア枠
１４    ドア
１６    気密材
１８    建物
２０    ドア構造
２２    開口部
２８    忌避部
３０    一般部
３６    ばね部
３８    支持部
Ｓ      隙間
【図１】
0006702697.tif 000002
【図２】
0006702697.tif 000003
【図３】
0006702697.tif 000004
【図４】
0006702697.tif 000005
【図５】
0006702697.tif 000006
【図６】
0006702697.tif 000007
【図７】
0006702697.tif 000008
【図８】
0006702697.tif 000009
【図９】
0006702697.tif 000010
【図１０】
0006702697.tif 000011
【図１１】
0006702697.tif 000012
【図１２】
0006702697.tif 000013